(57)【要約】  プロジェクタの本体に設けられたサブディスプレイに対して、電源の供給が停止した後も各種情報の表示を維持することを可能とする。代表的な実施の形態によれば、投射型映像表示装置（１）で用いる電力を外部から供給するための電力供給線（２６）を接続する電源接続部（２５）と、映像投射部とは別に設けられた、少なくとも文字情報を表示する不揮発性表示デバイス（１７）と、不揮発性表示デバイス（１７）に対して１つ以上の所定の項目の情報を表示させる処理部（１８）とを有し、電源接続部（２５）に電力供給線（２６）が接続されていない状態であっても、不揮発性表示デバイス（１７）に情報を表示した状態を維持する。
2016166868.tif 000002
【特許請求の範囲】
【請求項１】
光源からの光を用いて映像を投射する映像投射部を有する投射型映像表示装置であって、  前記投射型映像表示装置で用いる電力を外部から供給するための電力供給線を接続する電源接続部と、  前記映像投射部とは別に設けられた、少なくとも文字情報を表示する不揮発性表示デバイスと、  前記不揮発性表示デバイスに対して１つ以上の所定の項目の情報を表示させる処理部と、を有し、  前記電源接続部に前記電力供給線が接続されていない状態であっても、前記不揮発性表示デバイスに情報を表示した状態を維持する、投射型映像表示装置。
【請求項２】
請求項１に記載の投射型映像表示装置において、  前記不揮発性表示デバイスは、前記所定の項目として、前記投射型映像表示装置の所有者を識別するための情報である所有者識別情報を表示する、投射型映像表示装置。
【請求項３】
請求項１に記載の投射型映像表示装置において、  前記不揮発性表示デバイスは、前記所定の項目として、前記投射型映像表示装置における交換可能部品に係る情報である交換部品関連情報を表示する、投射型映像表示装置。
【請求項４】
請求項１に記載の投射型映像表示装置において、  前記不揮発性表示デバイスは、前記所定の項目として、前記投射型映像表示装置の固有の属性情報である機種属性識別情報を表示する、投射型映像表示装置。
【請求項５】
請求項１に記載の投射型映像表示装置において、  前記不揮発性表示デバイスは、前記所定の項目として、前記投射型映像表示装置において検知したエラーに係る情報を表示する、投射型映像表示装置。
【請求項６】
請求項１に記載の投射型映像表示装置において、  さらに、ユーザによる操作を受け付ける操作入力部を有し、  前記操作入力部を介した指示により、前記所定の項目毎に、前記処理部が前記不揮発性表示デバイスに表示させるか否かについての設定を受け付けることが可能である、投射型映像表示装置。
【請求項７】
請求項２に記載の投射型映像表示装置において、  さらに、ユーザによる操作を受け付ける操作入力部を有し、  前記操作入力部を介した指示により、前記所有者識別情報の内容を更新することが可能である、投射型映像表示装置。
【請求項８】
請求項７に記載の投射型映像表示装置において、  前記操作入力部を介して所定のパスワードが入力された場合に限り前記所有者識別情報の内容を更新する、投射型映像表示装置。
【請求項９】
請求項４に記載の投射型映像表示装置において、  前記機種属性識別情報については更新を不可とする、投射型映像表示装置。
【請求項１０】
請求項１に記載の投射型映像表示装置において、  前記不揮発性表示デバイスは、１つ以上の前記所定の項目を表示することができる領域を１つ以上有し、前記領域のうち少なくとも１つ以上は、前記投射型映像表示装置の状態に関わらず表示内容が固定されている、投射型映像表示装置。
【請求項１１】
請求項１に記載の投射型映像表示装置において、  前記不揮発性表示デバイスは、１つ以上の前記所定の項目を表示することができる領域を１つ以上有し、前記領域のうち少なくとも１つ以上は、前記投射型映像表示装置の状態に応じて表示内容が切り替わる、投射型映像表示装置。
【請求項１２】
請求項１に記載の投射型映像表示装置において、  前記電源接続部に前記電力供給線が接続されており電力が外部から供給されているときのみ前記光源の点灯を行う、投射型映像表示装置。
【請求項１３】
光源からの光を用いて映像を投射する映像投射部を有する投射型映像表示装置における情報表示方法であって、  前記投射型映像表示装置は、前記投射型映像表示装置で用いる電力を外部から供給するための電力供給線を接続する電源接続部と、前記映像投射部とは別に設けられた、少なくとも文字情報を表示する不揮発性表示デバイスと、前記不揮発性表示デバイスに対して１つ以上の所定の項目の情報を表示させる処理部と、を有し、  前記電源接続部から前記電力供給線の接続が外された際に、前記不揮発性表示デバイスに情報を表示した状態を維持する、投射型映像表示装置における情報表示方法。
【発明の詳細な説明】
【技術分野】
【０００１】  本発明は、投射型映像表示装置の技術に関し、特に、情報表示のためのサブディスプレイを有する投射型映像表示装置および投射型映像表示装置における情報表示方法に適用して有効な技術に関するものである。
【背景技術】
【０００２】  液晶プロジェクタなどの投射型映像表示装置では、映像をスクリーン等に投射して表示する表示部の他に、装置の背面部などに、投射している画像情報や、装置の状態等の各種情報を表示するための小型の液晶ディスプレイをサブディスプレイとして有しているものがある。【０００３】  例えば、特開２００５−２２１８９８号公報（特許文献１）には、プロジェクタ装置の投射レンズとは反対側に設けられたサブ画面を有し、入力された画像情報を表示したり、また、入力された画像情報を表示するとともに、端末装置から送信されてきたメッセージを画像情報に重畳させて表示したりすることが記載されている。【０００４】  また、サブディスプレイを有する装置に関連する技術として、例えば、特開２０１２−１５００８２号公報（特許文献２）には、運転席近傍に設置され、経路案内画面やテレビ画面等を表示する液晶等のメインディスプレイと、後部座席近傍に設置され、経路案内画面やテレビ、ゲーム等の画面を表示するサブディスプレイとを有するカーナビゲーション装置が記載されており、サブディスプレイにはいわゆる電子ペーパーを用いてもよいことが記載されている。【０００５】  また、特開２００４−２９８０１号公報（特許文献３）には、パソコンのサブディスプレイとしてメモリ性を有する反射型液晶を用いたディスプレイを用い、頻繁に書き換える必要のない固定情報や、パソコンのメインディスプレイ上で隠れて非アクティブとなったウィンドウ、鑑賞用画像などをサブディスプレイに表示することで、メインディスプレイの領域を有効活用して編集等の作業の効率を向上させることが記載されている。
【先行技術文献】
【特許文献】
【０００６】
【特許文献１】特開２００５−２２１８９８号公報
【特許文献２】特開２０１２−１５００８２号公報
【特許文献３】特開２００４−２９８０１号公報
【発明の概要】
【発明が解決しようとする課題】
【０００７】  特許文献１に記載されたような、プロジェクタ本体にサブディスプレイを設けて各種情報を表示させる構成によれば、スクリーンに映像を投射中であるか否かに関わらず、例えば、エラーなども含む装置の状態や、プロジェクタ本体の識別情報などの各種情報を表示することで、ユーザはこれらを参照することが可能である。しかしながら、サブディスプレイを通常の液晶ディスプレイにより構成した場合、たとえ上記のような各種情報を表示していたとしても、プロジェクタに対する電源の供給が停止した場合にはサブディスプレイの表示も消えてしまう。【０００８】  例えば、プロジェクタがエラーにより停止してしまった場合に、メンテナンスサービスの担当者が、エラーの内容等の情報を取得するためにいったんプロジェクタを起動させるという作業が必要となり、このための電源を用意しなければならないという点で煩雑となる。また、プロジェクタは、所定の場所に恒常的に設置された状態で利用される場合も多く、盗難の防止・抑止等のセキュリティのため、プロジェクタの識別情報等を明示しておくことが効果的であるが、ラベル等の貼付では剥離される可能性があり、また、特許文献１に記載されたようなサブディスプレイへの表示では電源の供給が停止した際に消えてしまうため用を為さない。【０００９】  一方で、特許文献２、３などに記載された各種装置では、電子ペーパーなどの書き換え可能な不揮発性表示デバイスをサブディスプレイとして用いており、電力供給が停止してもサブディスプレイの表示内容を維持することができる。しかしながら、これらの装置はいずれもメインディスプレイが液晶ディスプレイ等の直視型であり、プロジェクタ等の投射型を対象とするものではない。また、サブディスプレイは、主にメインディスプレイや装置本体からの可搬性や独立性についても考慮されたものであり、装置本体に直接設けられたディスプレイではない。【００１０】  そこで本発明の目的は、プロジェクタの本体に設けられたサブディスプレイに対して、電源の供給が停止した後も各種情報の表示を維持することを可能とする投射型映像表示装置および投射型映像表示装置における情報表示方法を提供することにある。【００１１】  本発明の前記ならびにその他の目的と新規な特徴は、本明細書の記述および添付図面から明らかになるであろう。
【課題を解決するための手段】
【００１２】  本願において開示される発明のうち、代表的なものの概要を簡単に説明すれば、以下のとおりである。【００１３】  本発明の代表的な実施の形態による投射型映像表示装置は、光源からの光を用いて映像を投射する映像投射部を有する投射型映像表示装置であって、前記投射型映像表示装置で用いる電力を外部から供給するための電力供給線を接続する電源接続部と、前記映像投射部とは別に設けられた、少なくとも文字情報を表示する不揮発性表示デバイスと、前記不揮発性表示デバイスに対して１つ以上の所定の項目の情報を表示させる処理部と、を有し、前記電源接続部に前記電力供給線が接続されていない状態であっても、前記不揮発性表示デバイスに情報を表示した状態を維持するものである。
【発明の効果】
【００１４】  本願において開示される発明のうち、代表的なものによって得られる効果を簡単に説明すれば以下のとおりである。【００１５】  すなわち、本発明の代表的な実施の形態によれば、プロジェクタの本体に設けられたサブディスプレイに対して、電源の供給が停止した後も各種情報の表示を維持することが可能となる。
【図面の簡単な説明】
【００１６】
【図１】本発明の一実施の形態である投射型映像表示装置の構成例について概要を示したブロック図である。
【図２】本発明の一実施の形態における投射型映像表示装置の外観の例について概要を示した斜視図である。
【図３】（ａ）〜（ｄ）は、本発明の一実施の形態における所有者識別表示の例について概要を示した図である。
【図４】（ａ）、（ｂ）は、本発明の一実施の形態における動作状態表示の例について概要を示した図である。
【図５】（ａ）、（ｂ）は、本発明の一実施の形態における冷却中表示の例について概要を示した図である。
【図６】（ａ）〜（ｃ）は、本発明の一実施の形態における交換部品関連表示の例について概要を示した図である。
【図７】（ａ）〜（ｄ）は、本発明の一実施の形態における機種属性識別表示の例について概要を示した図である。
【図８】（ａ）〜（ｄ）は、本発明の一実施の形態におけるエラー表示の例について概要を示した図である。
【図９】（ａ）〜（ｃ）は、本発明の一実施の形態におけるエラー表示の例について概要を示した図である。
【図１０】（ａ）、（ｂ）は、本発明の一実施の形態における一般状態表示領域と所有者識別表示領域の２領域にそれぞれ情報を表示する例について概要を示した図である。
【図１１】（ａ）、（ｂ）は、本発明の一実施の形態における一般状態表示領域と機種属性識別表示の２領域にそれぞれ情報を表示する例について概要を示した図である。
【図１２】（ａ）、（ｂ）は、本発明の一実施の形態における３領域にそれぞれ情報を表示する例について概要を示した図である。
【図１３】本発明の一実施の形態における正常時の画面表示内容の遷移の例について概要を示した図である。
【図１４】本発明の一実施の形態におけるスタンバイ以外から電力供給が強制的にＯＦＦされた場合の画面表示内容の遷移の例について概要を示した図である。
【図１５】本発明の一実施の形態におけるエラー検出があった場合の画面表示内容の遷移の例について概要を示した図である。
【図１６】本発明の一実施の形態における不揮発性表示デバイスの表示内容等を設定する設定メニュー画面の例について概要を示した図である。
【図１７】本発明の一実施の形態における不揮発性表示デバイスの表示内容等を設定する設定メニュー画面の例について概要を示した図である。
【図１８】本発明の一実施の形態における不揮発性表示デバイスの表示内容等を設定する設定メニュー画面の例について概要を示した図である。
【図１９】本発明の一実施の形態における不揮発性表示デバイスの表示内容等を設定する設定メニュー画面の例について概要を示した図である。
【発明を実施するための形態】
【００１７】  以下、本発明の実施の形態を図面に基づいて詳細に説明する。なお、実施の形態を説明するための全図において、同一部には原則として同一の符号を付し、その繰り返しの説明は省略する。
【００１８】  ＜装置構成＞  図１は、本発明の一実施の形態である投射型映像表示装置の構成例について概要を示したブロック図である。また、図２は、本実施の形態の投射型映像表示装置の外観の例について概要を示した斜視図である。図１において、投射型映像表示装置１は、例えば、外部電源供給３から電力の供給を受けて、スクリーン４に対して映像を投射して拡大表示する液晶プロジェクタ等である。
【００１９】  投射型映像表示装置１は、例えば、ハードウェアや各種デバイス等により実装される、電源部１１、光源駆動部１２、光源１３、照明光学系１４、表示素子１５、投射光学系１６、不揮発性表示デバイス１７、処理部１８、冷却ファン１９、映像信号入力部２０、メモリ２１および不揮発性メモリ２２、操作入力部２３、映像信号入力端子２４、電源接続部２５、および電力供給線２６などの各部を有する。
【００２０】  電源部１１は、図２の例に示すように、電源接続部２５を介して電力供給線２６により接続された外部電源供給３からの電力の供給を受けて、光源駆動部１２、不揮発性表示デバイス１７、処理部１８を始めとする各部に対して駆動電力を供給する。本実施の形態では、電力供給線２６の抜き差しにより直接電力供給のＯＮ／ＯＦＦを切り替えるものとするが、図示しない電源スイッチ等を設けて、電力供給線２６が接続されていることを前提に、当該スイッチのＯＮ／ＯＦＦにより電力供給のＯＮ／ＯＦＦを切り替えるようにしてもよい。
【００２１】  光源駆動部１２は、後述する処理部１８からの制御に従って光源１３を駆動して発光させる。光源１３は、例えば、高圧水銀ランプやキセノンランプ、ＬＥＤ（Light Emitting Diode）光源、レーザー光源等を用いる。照明光学系１４は、光源１３から発光された光を収束させる１つ以上のレンズからなる光学系である。表示素子１５は、処理部１８からの映像信号に基づいて投映する画像を形成する素子であり、透過型または反射型液晶パネル（またはＤＭＤ（Digital Micromirror Device：登録商標）パネルでもよい）等により構成される。照明光学系１４により収束された光を透過もしくは反射させて映像を投射する。投射光学系１６は、表示素子１５からの投射映像を拡大してスクリーン４に対して投射する１つ以上のレンズからなる光学系である。これらの各部により映像投射部が構成される。
【００２２】  不揮発性表示デバイス１７は、例えば、図２の例に示すように投射型映像表示装置１の外装に設けられるサブディスプレイを構成する電子ペーパー等のデバイスである。投射型映像表示装置１の状態に応じて、処理部１８からの出力信号に基づいてディスプレイ上に各種の情報を表示する。少なくとも文字情報を表示するものとするが、画像を表示することができるものであってもよい。不揮発性であることから、例えば、電源部１１を介した外部電源供給３からの電力の供給が停止した場合でも、表示内容を維持することができる。不揮発性表示デバイス１７の表示内容の制御の詳細については後述する。
【００２３】  処理部１８は、例えば、マイコンの動作や、ＣＰＵ（Central Processing Unit）によるプログラムの実行などにより、表示素子１５における投射映像の形成と光源１３の制御による映像の投射を始め、不揮発性表示デバイス１７の表示内容の制御など、投射型映像表示装置１の各部の動作を制御する機能を有する。冷却ファン１９は、光源１３からの発熱を外部に放出して高温化を抑制するためのファンである。スクリーン４に対する映像の投射が終了して光源１３が発光を停止した後であっても、所定の時間もしくは所定の温度より低くなるまで動作するよう、処理部１８により制御される。
【００２４】  映像信号入力部２０は、図２の例に示したような映像信号入力端子２４を介して接続された図示しないＰＣ（Personal Computer）等の情報処理端末から、投射する映像信号の入力を受け付けて、処理部１８に送信する外部インタフェースである。なお、映像信号入力端子２４は、例えば、ＨＤＭＩ（High-Definition Multimedia Interface）やＶＧＡ（Video Graphics Array）、ＤＶＩ（Digital Visual Interface）など複数種類有していてもよい。
【００２５】  メモリ２１は、投射型映像表示装置１の内蔵メモリであり、例えば、処理部１８が映像信号入力部２０から入力された映像信号をバッファリングしたり、各種の設定情報等をテーブルに展開して記憶したりするメモリである。メモリ２１には、ＤＲＡＭ（Dynamic Random Access Memory）等の揮発性メモリに加えて、フラッシュメモリなどの不揮発性メモリ２２を有するものとし、電力供給が停止しても投射型映像表示装置１の状態等に係る情報や各種設定情報等を保持できるようにする。
【００２６】  操作入力部２３は、図２の例に示したような投射型映像表示装置１の外装に設けられたパネル等を介して、図示しないボタン等の操作によりユーザからの投射型映像表示装置１に対する指示の入力を受け付けて、処理部１８に送信する外部インタフェースである。図示しないリモコン等による操作を受け付けるものであってもよい。ユーザは、操作入力部２３を介した操作によって、スクリーン４上の投影画面もしくはサブディスプレイ（不揮発性表示デバイス１７）に後述するような設定メニュー画面を表示させて、各種設定情報などを登録することができる。
【００２７】  ＜サブディスプレイ（不揮発性表示デバイス１７）の画面表示例＞  図３〜図１２は、不揮発性表示デバイス１７の画面に表示される内容の例について概要を示した図である。図３は、所有者識別表示の例について概要を示した図である。所有者識別表示は、当該投射型映像表示装置１を所有する組織名や担当者名、連絡先等の所有者を識別する表示であり、表示内容は、ユーザが後述する設定メニュー画面を介して登録することができるものとする。
【００２８】  図３（ａ）は、所有組織名のみを表示する例であり、図３（ｂ）は、所有組織名に加えて担当者名を表示する例を示している。図３（ｃ）は、さらに連絡先の情報を表示する例を示している。これらの各情報の表示のＯＮ／ＯＦＦについてもユーザが設定メニューを介して登録可能とする。また、図３（ｄ）に示すように、所有組織名に代えて所有組織のロゴマーク等のユーザが指定した画像データを表示するようにしてもよい。この画像データは、例えば、図示しないＵＳＢ（Universal Serial Bus）等のデータ入出力インタフェースやネットワークインタフェース等を介して、外部機器や外部媒体から取得することができる。
【００２９】  所有者識別表示では、上記の表示パターンに限らず、ユーザが設定メニューを介して任意の文字等を指定して表示させることができるカスタム表示モードとしてもよい。また、不揮発性表示デバイス１７の機能により、電力供給線２６が外されて電力供給が停止した場合でも、表示内容をそのまま維持するようにしてもよい。これにより、所有者識別表示の内容が消えずに残るので、盗難防止などのセキュリティを向上させることができる。
【００３０】  図４は、動作状態表示の例について概要を示した図である。動作状態表示は、光源１３が点灯中、すなわち投射型映像表示装置１が動作中の場合の各種状態の情報をユーザに伝える表示である。図４（ａ）は、光源状態、入力信号識別情報、および入力電源電圧の各情報を表示する例を示している。光源状態は、例えば、“通常モード”や“エコモード”等の光源１３（ランプ）の点灯モードなどの情報である。また、入力信号識別情報は、映像信号入力端子２４を介して入力されている映像信号の種類等の識別情報である。また、入力電源電圧は、電源接続部２５を介して供給されている電源電圧の情報である。
【００３１】  図４（ｂ）は、特殊モード名、光源状態、および入力信号識別情報の各情報を表示する例を示している。特殊モード名は、例えば、エッジブレンディングやワーピング等の自動補正機能など特殊な機能を使用するモードで動作しているか否かについての情報である。光源状態や入力信号識別情報については図４（ａ）と同様であるが、図４（ｂ）に示すように表示位置を変えてもよい。
【００３２】  図５は、冷却中表示の例について概要を示した図である。冷却中表示は、光源１３を消灯した後に冷却ファン１９による冷却処理が行われている旨をユーザに伝える表示である。図５（ａ）は、冷却中であることを示す冷却中メッセージのみを表示する例であり、図５（ｂ）は、さらに注意事項や指示事項などを示す冷却中付加メッセージを表示する例を示している。
【００３３】  図６は、交換部品関連表示の例について概要を示した図である。交換部品関連表示は、交換式である光源１３（ランプ）や、図示しない吸気フィルターなどの交換可能部品の使用時間などの情報をユーザに伝える表示である。図６（ａ）は、フィルターの使用時間および光源１３（ランプ）の使用時間の情報を表示する例であり、図６（ｂ）は、例えばフィルターの使用時間が交換を推奨する閾値を超えた場合に、その使用時間の情報に加えて交換推奨メッセージを表示する例を示している。光源１３（ランプ）の使用時間が交換を推奨する閾値を超えた場合も同様である。
【００３４】  投射光学系１６（投射レンズ）が交換式である投射型映像表示装置１の場合は、ユーザからの指示等により、現在装着している交換式レンズ（オプションレンズ）の型式番号を表示するモードを有していてもよい。図６（ｃ）は、オプションレンズの型式番号を表示する例を示している。
【００３５】  投射型映像表示装置１では、交換式レンズは装置外装からあまり露出しておらず、型式等の確認が容易でないものも多い。従来は、型式等を確認するために、外装カバーの一部を外して交換式レンズを直接確認したり、電力供給線２６を接続した上で投射型映像表示装置１を起動して、メニュー画面等の映像を投射して型式番号等を表示させて確認したりする必要があった。これに対し、本実施の形態のように、不揮発性表示デバイス１７に交換式レンズ（オプションレンズ）の型式番号を表示するようにすれば、例えば、メンテナンス作業などで電力供給線２６を接続していない等の状態であっても、オプションレンズの型式番号を確認することが可能となり、メンテナンス作業の効率を大きく向上させることができる。
【００３６】  図７は、機種属性識別表示の例について概要を示した図である。機種属性識別表示は、例えば、投射型映像表示装置１の製造者（メーカー）や機種名（型式番号）、性能（スペック）、製造国などの属性情報の表示である。これらの投射型映像表示装置１の固有情報は、製造時に予め不揮発性メモリ２２等に記録されており、設定メニュー等を介したユーザによる変更はできないよう保護されているものとする。
【００３７】  図７（ａ）は、製造者のみを表示する例であり、図７（ｂ）は、製造者に加えて機種名を表示する例を示している。図７（ｃ）は、さらに性能の情報を表示する例を示している。図７（ｄ）は、製造国のみを表示する例である。本実施の形態のように、不揮発性表示デバイス１７に機種属性識別表示を行えるようにすることで、例えば、電力供給がない出荷時にも機種属性識別表示を行うことができる。これにより、当該投射型映像表示装置１を購入等により入手した第三者が製造者、機種、性能、製造国などの属性情報を変更して偽るような不正転売等を抑止することができる。
【００３８】  図８、図９は、エラー表示の例について概要を示した図である。エラー表示は、エラーが発生している旨をユーザに伝える表示である。図８（ａ）は、冷却ファン１９にエラーが発生していることを示すファンエラーメッセージとそのエラーコードの表示に加えて、投射型映像表示装置１本体のシリアルナンバーを表示する例を示している。同様に、図８（ｂ）は、光源１３（ランプ）にエラーが発生していることを示すランプエラーメッセージとそのエラーコードの表示に加えて、光源１３（ランプ）のシリアルナンバーを表示する例を示している。他の部位や部品で発生したエラーについても同様である。
【００３９】  不揮発性表示デバイス１７の機能により、電力供給線２６が外されて電力供給が停止した場合でも、エラー表示の内容をそのまま維持するようにしてもよい。これにより、電力供給線２６を再度接続しなくとも、ユーザが製造者のサービス部門等に連絡する際にエラーの内容を伝えることが可能となる。また、販売店や製造者のサービス部門等に当該投射型映像表示装置１が修理のために送付された場合にも、担当者等は、電力供給線２６を接続することなくエラーの内容を把握することができるため、作業効率を向上させることができる。
【００４０】  図８（ｃ）は、ファンエラーメッセージの表示に加えて、販売店や製造者におけるサービス部門の連絡先またはＵＲＬ（Uniform Resource Locator）の情報を表示する例を示している。このように、例えば、サービス部門の電話番号や、製品マニュアル、問い合わせ先などの情報が存在するホームページのＵＲＬなどの情報を表示することで、ユーザがサービス部門にアクセスする際の効率を大きく向上させることができる。
【００４１】  図８（ｄ）は、ファンエラーメッセージとそのエラーコードの表示に加えて、上記のホームページのＵＲＬなどの情報を格納する画像コードを表示する例を示している。画像コードは、例えば、ＱＲコード（登録商標）などの公知の二次元バーコードを用いることができる。これにより、ユーザは、画像コードを読み取ることができるカメラ付のスマートフォンやタブレット端末などの携帯情報端末を利用して、エラーに関する情報を効率的に取得することができる。
【００４２】  図９（ａ）は、光源１３においてランプが未装着であることを示すランプ未装着エラーメッセージのみを表示する例を示している。図９（ｂ）は、ランプ未装着エラーメッセージの表示に加えて、装着可能な対応ランプの型式番号の情報を表示する例を示している。また、図９（ｃ）は、ランプ未装着エラーメッセージの表示に加えて、ランプ販売業者等の連絡先またはＵＲＬの情報を表示する例を示している。この連絡先やＵＲＬの情報は、図８（ｃ）に示したサービス部門の連絡先やＵＲＬの情報と同じものであってもよい。
【００４３】  なお、上述の各図に示した表示方法は一例であり、各図における表示項目や表示順、表示行数などは図示したものに限られない。各図における表示項目を組み合わせて表示してもよい。また、例えば、操作入力部２３を介したユーザからの指示に基づいて随時表示パターンを切り替えることができるようにしてもよい。
【００４４】  以下では、不揮発性表示デバイス１７の表示領域を複数に区分し、それぞれの領域に上述の図３〜図９に示した各情報を組み合わせて表示する場合について示す。図１０は、一般状態表示領域と所有者識別表示領域の２領域にそれぞれ情報を表示する例について概要を示した図である。図１０の例では、下段の所有者識別表示領域に図３に示した所有者識別表示を固定的に表示するとともに、上段の一般状態表示領域には投射型映像表示装置１の状態に応じて情報を表示する場合を示している。図１０（ａ）は、一般状態表示領域に図４に示した動作状態表示を表示する例を示しており、図１０（ｂ）は、一般状態表示領域に図８、図９に示したエラー表示を表示する例を示している。
【００４５】  同様に、図１１は、一般状態表示領域と機種属性識別表示の２領域にそれぞれ情報を表示する例について概要を示した図である。図１１の例では、図１０の例と異なり、下段の機種属性識別表示領域に図７に示した機種属性識別表示を固定的に表示するものとしている。
【００４６】  図１２は、３領域にそれぞれ情報を表示する例について概要を示した図である。図１２（ａ）は、中段の機種属性識別表示領域に図７に示した機種属性識別表示を固定的に表示し、また、下段の所有者識別表示領域に図３に示した所有者識別表示を固定的に表示するとともに、上段の一般状態表示領域に図４に示した動作状態表示を表示する例を示している。また、図１２（ｂ）は、図１２（ａ）と異なり、中段の交換部品関連表示領域に図６の交換部品関連表示を固定的に表示するとともに、上段の一般状態表示領域に図８、図９に示したエラー表示を表示する例を示している。
【００４７】  なお、図１０〜図１２に示した表示方法についても一例であり、各図における表示項目や表示順、表示行数などは図示したものに限られない。領域の数や区分方法も図示したものに限られない。また、例えば、操作入力部２３を介したユーザからの指示に基づいて随時表示パターンを切り替えることができるようにしてもよい。
【００４８】  ＜サブディスプレイ（不揮発性表示デバイス１７）の画面遷移例＞  図１３〜図１５は、処理部１８の制御による不揮発性表示デバイス１７の画面表示内容の遷移の例について概要を示した図である。図１３は、正常時の画面表示内容の遷移の例について概要を示した図である。まず、初期状態の出荷時表示（Ｓ０１）の状態から最初に電力供給がＯＮされる、すなわち外部電源供給３との間で電力供給線２６が接続されると、スタンバイ表示（設定前）（Ｓ０２）の状態に遷移する。ここで「設定前」とは、設定メニューを介したユーザによる各種情報の設定処理がされていない状態を指す。したがって、出荷直後の初回の電力供給ＯＮ時はもちろん、設定処理がされる前であれば２回目以降のスタンバイ表示についてもこの状態となる。なお、各状態での具体的な表示内容の例については後述する。
【００４９】  スタンバイ表示（設定前）（Ｓ０２）の状態で光源１３が点灯して映像投射を開始すると、光源点灯中表示（Ｓ０３）の状態に遷移する。この状態から、ユーザが設定メニューを介して設定処理を行い、その後光源１３が消灯して映像投射を終了すると、光源消灯後冷却中表示（Ｓ０４）の状態に遷移する。そして、冷却が終了すると、スタンバイ表示（設定後）（Ｓ０５）の状態に遷移する。上記の光源点灯中表示（Ｓ０３）の状態から光源１３を消灯した場合に、光源消灯後冷却中表示（Ｓ０４）を行わずに直接スタンバイ表示（設定後）（Ｓ０５）の状態に遷移してもよい。スタンバイ表示（設定後）（Ｓ０５）の状態で光源１３が再度点灯すると、光源点灯中表示（Ｓ０３）の状態に戻る。
【００５０】  一方、スタンバイ表示（設定前）（Ｓ０２）もしくはスタンバイ表示（設定後）（Ｓ０５）の状態で、通常の手順により電力供給がＯＦＦされる、すなわち電力供給線２６が外されると、スタンバイからの電力供給ＯＦＦ表示（Ｓ０６）の状態に遷移する。本実施の形態では、不揮発性表示デバイス１７の機能により、電力供給がない状態でも所定の情報の表示を維持することが可能である。
【００５１】  図１４は、スタンバイ以外から電力供給が強制的にＯＦＦされた場合の画面表示内容の遷移の例について概要を示した図である。上述の図１３の通常時の画面遷移と、Ｓ０１〜Ｓ０６までは同様であるため、説明は省略する。投射型映像表示装置１がスタンバイ以外の動作中、すなわち光源点灯中表示（Ｓ０３）の状態、もしくは光源消灯後冷却中表示（Ｓ０４）の状態で、強制的に電力供給がＯＦＦされる、すなわち電力供給線２６が外されると、スタンバイ以外からの電力供給強制ＯＦＦ表示（Ｓ０７）の状態に遷移する。この場合も、不揮発性表示デバイス１７の機能により、電力供給がない状態でも所定の情報の表示を維持することが可能である。
【００５２】  図１５は、エラー検出があった場合の画面表示内容の遷移の例について概要を示した図である。上述の図１３の通常時の画面遷移と、Ｓ０１〜Ｓ０６までは同様であるため、説明は省略する。投射型映像表示装置１に電力供給がされている状態、すなわちスタンバイ表示（設定前）（Ｓ０２）〜スタンバイ表示（設定後）（Ｓ０５）の各状態で、処理部１８がエラーを検出すると、エラー表示（Ｓ０８）の状態に遷移する。なお、光源点灯中表示（Ｓ０３）の状態の場合は、エラー検出に加えてこれにより光源１３が消灯した場合にエラー表示（Ｓ０８）の状態に遷移するものとする。
【００５３】  エラー表示（Ｓ０８）の状態で、通常の手順により電力供給がＯＦＦされる、すなわち電力供給線２６が外されると、エラーからの電力供給ＯＦＦ表示（Ｓ０９）の状態に遷移する。この場合も、不揮発性表示デバイス１７の機能により、電力供給がない状態でも所定の情報の表示を維持することが可能である。
【００５４】  図１３〜図１５の例に示した画面遷移の各状態における具体的な表示内容の例を以下の表に示す。
【００５５】
【表１】
2016166868.tif 000003
【００５６】  表１は、上述の図３〜図９に示したように、不揮発性表示デバイス１７の表示領域全体を１つの領域として各種情報を表示する場合の画面遷移における表示内容の例として、“表示切替例１−１”、および“表示切替例１−２”の２つのパターンを示している。“表示切替例１−１”は、電力供給がＯＦＦとなった後も図３に示した所有者識別表示を維持するパターンであり、“表示切替例１−２”は、電力供給がＯＦＦとなった後も図６に示した交換部品関連表示を維持するパターンである。
【００５７】  いずれのパターンも、出荷時表示（Ｓ０１）では、基本的には何も表示しない、もしくはその他表示として予め設定した任意の情報を表示する。出荷時には図７に示した機種属性識別表示としておいてもよい。また、スタンバイ表示（設定前）（Ｓ０２）でも同様に、何も表示しない、もしくはその他表示とする。出荷時には図７に示した機種属性識別表示としておいてもよい。出荷時表示（Ｓ０１）の表示内容をそのまま維持してもよいし、表示を切り替えてもよい。例えば、出荷時表示（Ｓ０１）では何も表示しないが、電力供給のＯＮに伴うスタンバイ表示（設定前）（Ｓ０２）において機種属性識別表示に切り替えてもよい。
【００５８】  光源点灯中表示（Ｓ０３）では、図４に示した動作状態表示とし、光源消灯後冷却中表示（Ｓ０４）では、図５に示した冷却中表示とする。また、スタンバイ表示（設定後）（Ｓ０６）では、“表示切替例１−１”の場合は図３に示した所有者識別表示、“表示切替例１−２”の場合は図６に示した交換部品関連表示とする。なお、所有者識別表示および交換部品関連表示は、後述する設定メニューを介してユーザによりそれぞれ表示ＯＮの指定がされた場合にのみ表示するものとし、さらに所有者識別表示については、所有者情報がユーザにより登録されている場合にのみ表示するものとする。
【００５９】  また、いずれのパターンも、スタンバイからの電力供給ＯＦＦ表示（Ｓ０６）では、電力供給がＯＦＦとなっても、スタンバイ表示（Ｓ０２もしくはＳ０５）の際の表示内容をそのまま維持するものとする。同様に、スタンバイ以外からの電力供給強制ＯＦＦ表示（Ｓ０７）では、電力供給がＯＦＦされた時点での表示内容をそのまま維持するものとする。また、エラー表示（Ｓ０８）では、図８、図９に示したエラー表示とする。また、エラーからの電力供給ＯＦＦ表示（Ｓ０９）では、電力供給がＯＦＦとなっても、エラー表示（Ｓ０８）の際の表示内容を維持する。
【００６０】  次に、上述の図１０、図１１に示したように、不揮発性表示デバイス１７の表示領域を２つの領域に区分してそれぞれに情報を表示する場合の画面遷移における表示内容の例を以下の表に示す。
【００６１】
【表２】
2016166868.tif 000004
【００６２】  表２は、表示内容の例として、“表示切替例２−１”、“表示切替例２−２”、および“表示切替例２−３”の３つのパターンについて、表示領域１（例えば、図１０、図１１における上段の領域）、表示領域２（例えば、図１０、図１１における下段の固定的に表示する領域）のそれぞれに表示する内容を示している。
【００６３】  表中の“表示切替例２−１”は、図３に示した所有者識別表示を固定的に常時表示するとともに、電源供給がＯＦＦとなった後も所有者識別表示を維持するパターンである。同様に、“表示切替例２−２”は、図６に示した交換部品関連表示を固定的に常時表示するとともに、電源供給がＯＦＦとなった後も交換部品関連表示を維持するパターンである。また、“表示切替例２−３”は、図７に示した機種属性識別表示を固定的に常時表示するとともに、電源供給がＯＦＦとなった後も機種属性識別表示を維持するパターンである。
【００６４】  いずれのパターンも、出荷時表示（Ｓ０１）およびスタンバイ表示（設定前）（Ｓ０２）では、表示領域＃１、＃２のいずれも、基本的には表１の場合と同様に、何も表示しない、もしくはその他表示とする。例えば、表示領域＃１について、出荷時には図７に示した機種属性識別表示としておいてもよい。ただし、“表示切替例２−３”の場合は、表示領域＃２を機種属性識別表示とする。スタンバイ表示（設定前）（Ｓ０２）では、出荷時表示（Ｓ０１）の表示内容をそのまま維持してもよいし、表示を切り替えてもよい。
【００６５】  また、いずれのパターンも、光源点灯中表示（Ｓ０３）では、表示領域＃１を図４に示した動作状態表示とし、光源消灯後冷却中表示（Ｓ０４）では、表示領域＃１を図５に示した冷却中表示とする。一方、表示領域＃２については、それぞれのパターンに対応して、“表示切替例２−１”の場合は図３に示した所有者識別表示、“表示切替例２−２”の場合は図６に示した交換部品関連表示、“表示切替例２−３”の場合は図７に示した機種属性識別表示とする。なお、上述の表１の場合と同様に、所有者識別表示および交換部品関連表示は、後述する設定メニューを介してユーザによりそれぞれ表示ＯＮの指定がされた場合にのみ表示するものとし、さらに所有者識別表示については、所有者情報がユーザにより登録されている場合にのみ表示するものとする。
【００６６】  また、スタンバイ表示（設定後）（Ｓ０５）では、表示領域＃１について、それぞれのパターンに対応して、“表示切替例２−１”の場合は何も表示しないもしくは所有者識別表示以外の表示、“表示切替例２−２”の場合は何も表示しないもしくは交換部品関連表示以外の表示、“表示切替例２−３”の場合は何も表示しないもしくは機種属性識別表示以外の表示とする。一方、表示領域＃２については、上述の光源消灯後冷却中表示（Ｓ０４）の場合と同様である。
【００６７】  また、いずれのパターンも、スタンバイからの電力供給ＯＦＦ表示（Ｓ０６）では、表示領域＃１について、電力供給がＯＦＦとなっても、スタンバイ表示（Ｓ０２もしくはＳ０５）の際の表示内容をそのまま維持するものとする。同様に、スタンバイ以外からの電力供給強制ＯＦＦ表示（Ｓ０７）では、表示領域＃１について、電力供給がＯＦＦされた時点での表示内容をそのまま維持するものとする。また、エラー表示（Ｓ０８）では、表示領域＃１について、図８、図９に示したエラー表示とする。また、エラーからの電力供給ＯＦＦ表示（Ｓ０９）では、表示領域＃１について、電力供給がＯＦＦとなっても、エラー表示（Ｓ０８）の際の表示内容を維持する。
【００６８】  一方、表示領域＃２については、スタンバイからの電力供給ＯＦＦ表示（Ｓ０６）〜エラーからの電力供給ＯＦＦ表示（Ｓ０９）のそれぞれについて、表示切替のパターンに対応して、“表示切替例２−１”の場合は図３に示した所有者識別表示、“表示切替例２−２”の場合は図６に示した交換部品関連表示、“表示切替例２−３”の場合は図７に示した機種属性識別表示を維持、もしくは表示する。
【００６９】  次に、上述の図１２に示したように、不揮発性表示デバイス１７の表示領域を３つの領域に区分してそれぞれに情報を表示する場合の画面遷移における表示内容の例を以下の表に示す。
【００７０】
【表３】
2016166868.tif 000005
【００７１】  表３は、表示内容の例として、“表示切替例３−１”、“表示切替例３−２”、および“表示切替例３−３”の３つのパターンについて、表示領域１（例えば、図１２における上段の領域）、表示領域２（例えば、図１２における中段の固定的に表示する領域）、表示領域３（例えば、図１２における下段の固定的に表示する領域）のそれぞれに表示する内容を示している。
【００７２】  表中の“表示切替例３−１”は、図３に示した所有者識別表示と図６に示した交換部品関連表示とを固定的に常時表示するとともに、電源供給がＯＦＦとなった後もこれらの表示を維持するパターンである。同様に、“表示切替例３−２”は、図７に示した機種属性識別表示と交換部品関連表示とを固定的に常時表示するとともに、電源供給がＯＦＦとなった後もこれらの表示を維持するパターンである。また、“表示切替例３−３”は、機種属性識別表示と所有者識別表示とを固定的に常時表示するとともに、電源供給がＯＦＦとなった後もこれらの表示を維持するパターンである。
【００７３】  いずれのパターンも、出荷時表示（Ｓ０１）およびスタンバイ表示（設定前）（Ｓ０２）では、表示領域＃１、＃２、＃３のいずれも、基本的には表１の場合と同様に、何も表示しない、もしくはその他表示とする。ただし、例えば、表示領域＃１について、“表示切替例３−１”の場合は、出荷時には図７に示した機種属性識別表示としておいてもよい。また、“表示切替例３−２”、“表示切替例３−３”の場合は、表示領域＃３を機種属性識別表示とする。スタンバイ表示（設定前）（Ｓ０２）では、出荷時表示（Ｓ０１）の表示内容をそのまま維持してもよいし、表示を切り替えてもよい。
【００７４】  また、いずれのパターンも、光源点灯中表示（Ｓ０３）では、表示領域＃１を図４に示した動作状態表示とし、光源消灯後冷却中表示（Ｓ０４）では、表示領域＃１を図５に示した冷却中表示とするとともに、表示領域＃２、＃３については、それぞれのパターンに対応して、“表示切替例３−１”の場合は、表示領域＃２を図３に示した所有者識別表示、表示領域＃３を図６に示した交換部品関連表示とする。また、“表示切替例３−２”の場合は、表示領域＃２を交換部品関連表示、表示領域＃３を図７に示した機種属性識別表示とする。また、“表示切替例３−３”の場合は、表示領域＃２を所有者識別表示、表示領域＃３を機種属性識別表示とする。
【００７５】  なお、上述の表１の場合と同様に、所有者識別表示および交換部品関連表示は、後述する設定メニューを介してユーザによりそれぞれ表示ＯＮの指定がされた場合にのみ表示するものとし、さらに所有者識別表示については、所有者情報がユーザにより登録されている場合にのみ表示するものとする。
【００７６】  また、スタンバイ表示（設定後）（Ｓ０５）では、表示領域＃１について、それぞれのパターンに対応して、“表示切替例３−１”の場合は何も表示しないもしくは所有者識別表示と交換部品関連表示以外の表示、“表示切替例３−２”の場合は何も表示しないもしくは機種属性識別表示と交換部品関連表示以外の表示、“表示切替例３−３”の場合は何も表示しないもしくは機種属性識別表示と所有者識別表示以外の表示とする。表示領域＃２、＃３については、それぞれ、上述の光源消灯後冷却中表示（Ｓ０４）の場合と同様である。
【００７７】  また、いずれのパターンも、スタンバイからの電力供給ＯＦＦ表示（Ｓ０６）では、表示領域＃１について、電力供給がＯＦＦとなっても、スタンバイ表示（Ｓ０２もしくはＳ０５）の際の表示内容をそのまま維持するものとする。同様に、スタンバイ以外からの電力供給強制ＯＦＦ表示（Ｓ０７）では、表示領域＃１について、電力供給がＯＦＦされた時点での表示内容をそのまま維持するものとする。また、エラー表示（Ｓ０８）では、表示領域＃１について、図８、図９に示したエラー表示とする。また、エラーからの電力供給ＯＦＦ表示（Ｓ０９）では、表示領域＃１について、電力供給がＯＦＦとなっても、エラー表示（Ｓ０８）の際の表示内容を維持する。
【００７８】  一方、表示領域＃２、＃３については、スタンバイからの電力供給ＯＦＦ表示（Ｓ０６）〜エラーからの電力供給ＯＦＦ表示（Ｓ０９）のそれぞれについて、表示切替のパターンに対応して、“表示切替例３−１”の場合は、図３に示した所有者識別表示もしくは図６に示した交換部品関連表示、“表示切替例３−２”の場合は、交換部品関連表示もしくは図７に示した機種属性識別表示、“表示切替例３−３”の場合は、所有者識別表示もしくは機種属性識別表示を維持、もしくは表示する。
【００７９】  ＜設定メニュー画面＞  図１６〜図１９は、不揮発性表示デバイス１７の表示内容等を設定する設定メニュー画面の例について概要を示した図である。設定メニュー画面５０は、例えば、操作入力部２３を介したユーザによる指示によりスクリーン４上に投射映像４１として投射され、操作入力部２３を介したユーザの操作による値や設定内容の登録を受け付ける。
【００８０】  図１６の例では、画面左側の所有者情報登録メニュー５２には“所有者情報登録”欄と“ユーザ指定文登録”欄とが設けられ、そのうちの“所有者情報登録”欄に入力用のカーソル５１がフォーカスされて現在入力受付中であることを示している。このメニューでは、“組織名”、“担当者名”、“連絡先”などの項目からなる所有者情報の登録・変更に加えて、“ユーザ指定文”として任意の文の登録を受け付けることができる。ユーザ指定文には、例えば、所有者を識別するための情報と併せてユーザへの注意事項などを設定することができる。このユーザ指定文は、例えば、カスタム表示モードとして図３に示した所有者識別表示における表示内容に代えて表示してもよいし、所有者情報と併せて表示するようにしてもよい。
【００８１】  一方、図１６の画面右側には、所有者識別表示設定メニュー５３、交換部品関連表示設定メニュー５４、および機種属性識別表示設定メニュー５５が設けられ、不揮発性表示デバイス１７上での各項目の表示のＯＮ／ＯＦＦをユーザが設定できるようになっている。
【００８２】  なお、機種属性識別表示における機種名や性能など、投射型映像表示装置１の属性情報の項目は、機種属性識別表示設定メニュー５５において表示のＯＮ／ＯＦＦの設定ができるのみであり、ユーザがその内容の書き換えを行うことができないようにする。これにより機種名や性能などの属性情報を偽るような不正転売等を抑止することができる。また、所有者識別表示設定メニュー５３において所有者情報やユーザ指定文を更新する場合は、図１７の例に示すように、パスワードの入力を求めるようにして不正な書き換えを抑止するようにしてもよい。
【００８３】  また、上述のユーザ指定文は、必ずしも所有者情報として登録する必要はなく、図１８の例に示すように、所有者情報の登録や所有者識別表示のＯＮ／ＯＦＦ設定とは独立して設定できるようにしてもよい。図１８の例では、独立したユーザ指定文登録メニュー５６の中に“ユーザ指定文登録”欄が設けられ、カーソル５１がフォーカスされていることを示している。また、ユーザ指定文の表示のＯＮ／ＯＦＦの設定も、独立したユーザ指定文表示設定メニュー５７において行うことができる。また、図１７の例と同様に、ユーザ指定文登録メニュー５６においてユーザ指定文の内容を更新する場合は、図１９の例に示すように、パスワードの入力を求めるようにして不正な書き換えを抑止するようにしてもよい。
【００８４】  以上に説明したように、本発明の一実施の形態である投射型映像表示装置１によれば、電力の供給が停止した後も、本体外装に設けられた電子ペーパー等の不揮発性表示デバイス１７からなるサブディスプレイに対して各種情報の表示を維持することが可能となる。
【００８５】  例えば、電力供給がない状態でも所有者識別表示を維持することで、盗難防止などのセキュリティを向上させることができる。また、電力供給がない状態でも交換部品関連表示を維持することで、メンテナンス作業の効率を大きく向上させることができる。また、電力供給がない状態でも機種属性識別表示を維持することで、機種の属性情報を変更するような不正転売等を抑止することができる。また、電力供給がない状態でもエラー表示を維持することで、修理等の作業効率を大きく向上させることができる。
【００８６】  以上に説明した本発明の各実施態様は、外部電源からの電力供給線を介した電力供給が遮断されると光源の点灯やサブディスプレイの表示変更制御ができない、非電池駆動の投射型映像表示装置に採用すると特に効果的である。
【００８７】  もしくは、以上に説明した本発明の各実施態様は、光源の点灯および／またはサブディスプレイの表示変更制御を電力供給線なしで行うための電池を搭載しない投射型映像表示装置に採用すると特に効果的である。
【００８８】  さらに言い換えれば、以上に説明した本発明の各実施態様は、外部電源からの電力供給線を介した電力供給があるときのみ光源の点灯および／またはサブディスプレイの表示変更制御を行う投射型映像表示装置に採用すると特に効果的である。
【００８９】  以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【符号の説明】
【００９０】１…投射型映像表示装置、３…外部電源供給、４…スクリーン、１１…電源部、１２…光源駆動部、１３…光源、１４…照明光学系、１５…表示素子、１６…投射光学系、１７…不揮発性表示デバイス、１８…処理部、１９…冷却ファン、２０…映像信号入力部、２１…メモリ、２２…不揮発性メモリ、２３…操作入力部、２４…映像信号入力端子、２５…電源接続部、２６…電力供給線、４１…投射映像、５０…設定メニュー画面、５１…カーソル、５２…所有者情報登録メニュー、５３…所有者識別表示設定メニュー、５４…交換部品関連表示設定メニュー、５５…機種属性識別表示設定メニュー、５６…ユーザ指定文登録メニュー、５７…ユーザ指定文表示設定メニュー
【図１】
2016166868.tif 000006
【図２】
2016166868.tif 000007
【図３】
2016166868.tif 000008
【図４】
2016166868.tif 000009
【図５】
2016166868.tif 000010
【図６】
2016166868.tif 000011
【図７】
2016166868.tif 000012
【図８】
2016166868.tif 000013
【図９】
2016166868.tif 000014
【図１０】
2016166868.tif 000015
【図１１】
2016166868.tif 000016
【図１２】
2016166868.tif 000017
【図１３】
2016166868.tif 000018
【図１４】
2016166868.tif 000019
【図１５】
2016166868.tif 000020
【図１６】
2016166868.tif 000021
【図１７】
2016166868.tif 000022
【図１８】
2016166868.tif 000023
【図１９】
2016166868.tif 000024
【国際調査報告】
2016166868.tif 000025
2016166868.tif 000026
2016166868.tif 000027
2016166868.tif 000028